(57)【要約】【課題】加工工程を低減し、より簡単な構成で着用者への局所的な応力を避け、身体形状にフィットさせ易い伸縮性複合シート及びそれを用いた使い捨て着用物品を提供する。【解決手段】伸縮性複合シート２０は、使い捨て着用物品の胴回り領域に用いられる。伸縮性複合シート２０は、伸縮性シート２１と非伸縮性シート２２とを備え、伸縮性シート２１を延伸する。延伸方向ＳＤの一方の端側と他方の端側に各々設けられたニップロール機構１０１、１０２により、延伸方向ＳＤに対する直交方向ＣＤが収縮した状態で非伸縮性シート２２と貼り合わされる。これにより、伸縮性シート２１の延伸状態に応じて坪量が偏向された坪量変化領域２１１，２１２を有する。坪量変化領域２１１，２１２は、伸縮性複合シート２０における中央領域２１０に比べて坪量が大きくなっている。【選択図】図１
2008253679.tif 000002
【特許請求の範囲】
【請求項１】
使い捨て着用物品の胴回り領域に用いられる伸縮性複合シートであって、
伸縮性を有するシート状の第１部材と、
前記第１部材に比べて伸縮性に乏しいシート状の第２部材と、を備え、
前記第１部材の一方の端側から他方の端側へ向かって延伸する延伸方向に沿って延びる前記第１部材の一対の縁部が、前記延伸方向に対して直交する直交方向に収縮した状態で前記第２部材と貼り合わされた伸縮性複合シート。
【請求項２】
前記第１部材について、前記直交方向における中央領域よりも縁部寄りの領域の坪量が大きくなっている請求項１記載の伸縮性複合シート。
【請求項３】
前記第１部材は、延伸前において予め坪量に差異を設けた領域を有している請求項１または２に記載の伸縮性複合シート。
【請求項４】
前記胴回り領域における前胴回り領域と後胴回り領域の前後の側部どうしが接合されることにより一対の接合部が形成されたウエスト開口部を有する使い捨て着用物品であって、
請求項１から３のいずれか一項に記載の伸縮性複合シートを前記前胴回り領域、前記後胴回り領域の少なくとも一領域に用い、
前記伸縮性複合シートの延伸方向が前記一対の接合部間に亘る方向となるように配置される使い捨て着用物品。
【請求項５】
前記胴回り領域における前胴回り領域と後胴回り領域の前後の側部どうしが接合されることにより一対の接合部が形成されたウエスト開口部を有する使い捨て着用物品であって、
請求項１から３のいずれか一項に記載の伸縮性複合シートを前記前胴回り領域、前記後胴回り領域の少なくとも一領域に用い、
前記伸縮性複合シートの延伸方向が前記一対の接合部に沿う方向となるように配置される使い捨て着用物品。
【請求項６】
前記ウエスト開口部の近傍領域において、前記第２部材に貼り合わされた前記第１部材に比べて伸縮性に乏しい第３部材をさらに備える請求項４または５に記載の使い捨て着用物品。
【発明の詳細な説明】
【技術分野】
【０００１】
本発明は、伸縮応力が付与された着用部材で構成される使い捨て着用物品に関する。
【背景技術】
【０００２】
使い捨て着用物品の一つにパンツ型オムツが知られている。パンツ型オムツは、その着用部材において部分的に異なる伸縮性が与えられ、着用者に対する適合性及び快適性を図っている。伸縮性を付与するためのパンツ本体は、部分的に伸縮性で連続のウエスト縁部を構成するために、一対の伸縮性側部セグメントおよび少なくとも一つの非−伸縮性セグメントを含み、これらのセグメントを構成する部材が接合される。このような構成を含んで、部分的に伸縮性で連続のウエスト縁部と、そのウエスト縁部に結合された、連続で伸縮性のウエストバンドが、伸縮性側部セグメントの伸縮性と実質的に同一の伸縮性を有する技術が開示されている（例えば、特許文献１参照）。
【特許文献１】特開平８−６６５号公報
【発明の開示】
【発明が解決しようとする課題】
【０００３】
しかしながら、このような従来例にあっては、伸縮性側部セグメント、非−伸縮性セグメントの結合で工夫しても、各セグメントの境は歴然としており、一様でない着用者の身体形状に合わせることは困難である。そこで、伸縮性側部セグメントの伸縮性と実質的に同一の伸縮性を有するウエストバンドを付加し、ウエスト部での適合性を向上させるようにしている。ところが、ウエスト部に伸縮性のウエストバンドを付加する態様は、装着中のずれ落ちを防止するために効果を発揮する一方、ウエスト部へ必要以上に応力をかけることにもなる。この結果、快適性の劣化が懸念される。さらに、伸縮性層を有する各セグメントの構成やウエストバンド部材の構成及びパンツ本体への付加は、構成部材の点数が増えてしまい、加工工程が複雑になってしまう。
【０００４】
本発明は、上記のような事情を考慮してなされたもので、加工工程を低減し、かつ、より簡単な構成で着用者への局所的な締め付けを避け、身体形状にフィットさせ易い伸縮性複合シート及びそれを用いた使い捨て着用物品を提供することを課題とする。
【課題を解決するための手段】
【０００５】
本発明者は、上記課題を解決するために、伸縮性複合シートを構成する際、伸縮性を有する第１部材を延伸し、伸縮性に乏しい第２部材と貼り合わせるが、第１部材の延伸の状態でもって坪量分布の偏向を生じさせることで、徐々に伸縮応力が変化する領域が得られることを見出し、本発明を完成するに至った。具体的には、以下のような伸縮性複合シート及びそれを用いた使い捨て着用物品を提供する。
【０００６】
（１）  使い捨て着用物品の胴回り領域に用いられる伸縮性複合シートであって、伸縮性を有するシート状の第１部材と、前記第１部材に比べて伸縮性に乏しいシート状の第２部材と、を備え、前記第１部材の一方の端側から他方の端側へ向かって延伸する延伸方向に沿って延びる前記第１部材の一対の縁部が、前記延伸方向に対して直交する直交方向に収縮した状態で前記第２部材と貼り合わされた伸縮性複合シート。
【０００７】
（２）  前記第１部材について、前記直交方向における中央領域よりも縁部寄りの領域の坪量が大きくなっている（１）に記載の伸縮性複合シート。
【０００８】
（３）  前記第１部材は、延伸前において予め坪量に差異を設けた領域を有している（１）または（２）に記載の伸縮性複合シート。
【０００９】
（４）  前記胴回り領域における前胴回り領域と後胴回り領域の前後の側部どうしが接合されることにより一対の接合部が形成されたウエスト開口部を有する使い捨て着用物品であって、（１）から（３）のいずれかに記載の伸縮性複合シートを前記前胴回り領域、前記後胴回り領域の少なくとも一領域に用い、前記伸縮性複合シートの延伸方向が前記一対の接合部間に亘る方向となるように配置される使い捨て着用物品。
【００１０】
（５）  前記胴回り領域における前胴回り領域と後胴回り領域の前後の側部どうしが接合されることにより一対の接合部が形成されたウエスト開口部を有する使い捨て着用物品であって、（１）から（３）のいずれかに記載の伸縮性複合シートを前記前胴回り領域、前記後胴回り領域の少なくとも一領域に用い、前記伸縮性複合シートの延伸方向が前記一対の接合部に沿う方向となるように配置される使い捨て着用物品。
【００１１】
（６）  前記ウエスト開口部の近傍領域において、前記第２部材に貼り合わされた前記第１部材に比べて伸縮性に乏しい第３部材をさらに備える（４）または（５）に記載の使い捨て着用物品。
【００１２】
（７）  前胴回り領域と、後胴回り領域と、前記前胴回り領域と前記後胴回り領域との間に設けられた股下領域と、を有する着用物品であって、前記前胴回り領域、前記後胴回り領域の少なくともいずれかに設けられ、伸縮性を有するシート状の第１部材が復元可能に延伸された状態で前記第１部材に比べて伸縮性に乏しいシート状の第２部材と貼り合わされ、前記第１部材が復元方向に移行することにより構成された伸縮性複合シートと、前記股下領域に配設された液吸収保持部材と、を備え、前記伸縮性複合部材は、前記第１部材の延伸状態に応じて坪量分布が制御されている使い捨て着用物品。
【発明の効果】
【００１３】
本発明によれば、第１部材を延伸させた状態でもって坪量分布の偏向を生じさせ、この坪量偏向特性を伴ったまま第２部材と貼り合わされる。これにより、部分的に伸縮性能が変化し得る領域を有する伸縮性複合シートを構成し得る。この結果、加工工程を低減し、かつ、より簡単な構成で着用者への局所的な締め付けを避け、身体形状にフィットさせ易い伸縮性複合シート及びそれを用いた使い捨て着用物品を提供することができる。
【発明を実施するための最良の形態】
【００１４】
図１は、本発明の第１実施形態による伸縮性複合シートの構成図である。伸縮性複合シートは、使い捨て着用物品の胴回り領域に用いられるものである。伸縮性シート２１は、本発明における伸縮性を有するシート状の第１部材の一例である。伸縮性シート２１は、例えば、１５〜６０ｇ／ｍ２のポリオレフィン繊維とエラストマー繊維の混繊不織布であり、延伸加工される。
【００１５】
伸縮性シート２１は、延伸方向ＳＤの一方の端側と他方の端側に各々設けられたニップロール機構１０１、１０２により、延伸方向ＳＤの搬送速度が制御される。すなわち、ニップロール機構１０１の搬送速度は、ニップロール機構１０２の搬送速度に比べて低速に制御され、伸縮性シート２１は復元可能に延伸加工される。伸縮性シート２１は、延伸されると、延伸方向ＳＤに対する直交方向ＣＤが収縮したネックイン状態となる。以下に詳述する。
【００１６】
延伸方向ＳＤの一方の端側であるニップロール機構１０１側から、他方の端側であるニップロール機構１０２側へ向かって、伸縮性シート２１の中央領域は延伸の影響力を持続させるのに対し、縁部寄りは延伸の影響力を及ぼしにくい。従って、延伸加工工程を経るネックイン状態の伸縮性シート２１は、延伸方向ＳＤに対する直交方向ＣＤが収縮し、かつ、中央領域２１０よりも縁部寄りの領域の坪量が大きくなる坪量変化領域２１１，２１２を形成する。
【００１７】
上記ネックイン状態の伸縮性シート２１は、非伸縮性シート２２と貼り合わされる。非伸縮性シート２２は、非伸縮性の不織布であり、本発明における、第１部材に比べて伸縮性に乏しいシート状の第２部材の一例である。非伸縮性シート２２は、例えばニップロール機構１０２を介して伸縮性シート２１と合流し、接着機能を伴わせることで貼り合わされる。従って、伸縮性シート２１は、坪量変化領域２１１，２１２における高坪量領域を保持したまま非伸縮性シート２２と貼り合わされる。非伸縮性シート２２は、伸縮性シート２１の延伸域を制限すると共に、延伸方向から復元しようとする変化を妨げない。これにより、坪量変化領域２１１，２１２における高坪量領域を有する伸縮性複合シート２０が構成される。
【００１８】
伸縮性複合シート２０のより具体的な例について以下に説明する。伸縮性シート２１は、延伸前において、延伸方向ＳＤに対する直交方向ＣＤに沿うシート幅ＷＤ１が約２５０ｍｍとなっている。延伸加工工程によってネックイン状態にした後の伸縮性シート２１または伸縮性複合シート２０のシート幅ＷＤ２は約１７５ｍｍとなる。この場合、ネックイン率（ＷＤ２／ＷＤ１）は、７０％である。
【００１９】
坪量変化領域２１１，２１２に関し、伸縮性複合シート２０の５％から１０％の範囲を坪量や応力の変化領域とみなして坪量と応力について測定を実施したところ、中央領域２１０よりも１％から１０％程度の範囲で坪量が大きくなる結果であった。そして、傾向として、坪量変化領域２１１，２１２は、中央領域２１０から側縁部に近づくにつれて中央領域２１０よりも坪量が徐々に大きくなる領域となった。これにより、この坪量変化領域２１１，２１２は、中央領域２１０よりも伸縮応力が数％から十数％高くなる領域となり、縁部の剛性も得られる。
【００２０】
延伸加工工程に伴うネックイン率は、上記設定に限らない。ネックイン率は、伸縮性シート２１の素材にもよるが、実施した素材では好ましくは５０％から８０％の範囲である。これにより、坪量変化領域２１１，２１２における高坪量領域を制御し、伸縮性複合シート２０の応力設計に利用することができる。
【００２１】
なお、上記構成の伸縮性複合シート２０において、伸縮性シート２１は、延伸前の状態において坪量分布が略均等のシート部材を用いていたがこれに限らない。伸縮性シート２１として、延伸前において予め坪量に差異を設けた領域を有しているシート部材を用いてもよい。これにより、坪量変化領域２１１，２１２における高坪量領域の制御に寄与し、伸縮性複合シート２０の応力設計に利用することができる。
【００２２】
上記実施形態の構成によれば、加工工程を低減し、かつ、より簡単な構成で着用者への局所的な締め付けを避け、身体形状にフィットさせ易い伸縮性複合シート及びそれを用いた使い捨て着用物品を提供することができる。以下、上記構成の伸縮性複合シートを用いた使い捨て着用物品について説明する。
【００２３】
図２は、本発明の第２実施形態による使い捨て着用物品の要部の平面図である。使い捨て着用物品として、パンツ型オムツを例示している。パンツ型オムツは、周知のように、前胴回り領域と、後胴回り領域と、前胴回り領域と後胴回り領域との間に設けられた股下領域とを有する。前胴回り領域と、後胴回り領域とが離間したより平面的な状態においては、その形状をもってシャーシと呼ぶ場合がある。前胴回り領域とそれに伴う股下領域の一部、または、後胴回り領域とそれに伴う股下領域の一部を現す構成は、シャーシ部分を現しているといえる。この図２は、オムツを構成する伸縮性複合シートを延伸状態にしたシャーシ部分を表している。シャーシ部分の輪郭、股下領域の構成等は限定されない。また、図３は、図２の伸縮性複合シートの所定方向の変位に対する伸縮応力の変化を示す特性図である。
【００２４】
パンツ型オムツ１のシャーシ部分は、前胴回り領域４１とそれに伴う股下領域４３の一部を示している。また、前胴回り領域４１に代えて、後胴回り領域４２とそれに伴う股下領域４３の一部を示すものとしてもよい。パンツ形状にした場合の肌当接面側に、伸縮性を有する伸縮性シート２１を有する。この伸縮性シート２１は、図１に示したように、延伸方向ＳＤに延伸された状態で、非伸縮性シート２２と貼り合わされる。非伸縮性シート２２は、伸縮性シート２１に比べて伸縮性に乏しく、伸縮性シート２１の延伸域を制限すると共に、延伸方向から復元しようとする変化を妨げない。これにより、伸縮性複合シート２０として構成される。股下領域４３には、液吸収保持部材２４が配設されている。液吸収保持部材２４は、液透過性シート２５、吸収体２６及び液不透過性シート２７を含む。液透過性シート２５は、伸縮性複合シート２０の中央領域に重なり、股下領域４３の中央部を含むように配設されている。液不透過性シート２７は、液透過性シート２５と重なるように、股下領域４３の中央部を含んで配設されている。さらに、液保持性の吸収体２６は、液透過性シート２５と液不透過性シート２７との間に配設されている。
【００２５】
このような構成において、伸縮性複合シート２０は、伸縮性シート２１の延伸状態に応じて坪量が偏向された坪量変化領域２１１，２１２を有する。ここでの坪量変化領域２１１，２１２は、伸縮性複合シート２０の縁部寄りに設けられている。すなわち、坪量変化領域２１１，２１２は、伸縮性複合シート２０における中央領域２１０に比べて坪量が大きくなっている。しかも、坪量変化領域２１１，２１２は、図３に示すように、伸縮応力の変化が急峻でなく、徐々に変化する領域となる。一方、ゴムやウエストバンドなどの弾性部材を必要箇所に設けるとすれば、ゴムやウエストバンドを設けた部分での伸縮応力の変化は急峻であり、局所的な締め付けを招いてしまう。
【００２６】
なお、図２では、パンツ形状にした場合の肌当接面側に、本発明の特徴を呈した伸縮性を有する伸縮性シート２１を有し、非伸縮性シート２２と貼り合わされることを述べたが、これに限らない。伸縮性複合シート２０は、結果的に、パンツ形状にした場合の肌当接面側に、非伸縮性シート２２を存在させる構成としてもかまわない。あるいは、図示しないが、本発明の特徴を呈した伸縮性シート２１の両面に非伸縮性シート２２を貼り合わせる構成も考えられる。
【００２７】
図４は、図２のパンツ型オムツの構成を示す概観図である。パンツ型オムツ１において、伸縮性複合シート２０は、前胴回り領域４１と、後胴回り領域４２とに配されている。この前胴回り領域４１と後胴回り領域４２の前後の側部どうしが一方接合部５１、他方接合部５２の一対の接合部で接合されることにより、ウエスト開口部４５及び一対のレッグ開口部４６が形成されている。伸縮性複合シート２０の延伸方向は、一方接合部５１と他方接合部５２の間に亘る方向となるように配置される。また、ウエスト開口部４５近傍の領域において、非伸縮性シート２２に貼り合わされた非伸縮性シート２８が設けられている。非伸縮性シート２８は必須の構成ではないが、ウエスト開口部４５の強化に寄与する。また、このような伸縮性に乏しい非伸縮性シート２８であっても、十分にウエスト開口部の強化に寄与し、経済的である。
【００２８】
上記構成によれば、伸縮性シート２１を延伸加工し、ネックイン状態を制御して非伸縮性シート２２と貼り合せる。これにより、伸縮性複合シート２０において、伸縮性シート２１の延伸方向ＳＤの直交方向ＣＤに沿う幅方向縁部の坪量が徐々に上がる傾向を呈し、結果、伸縮応力が中央領域に比べて高くなる。すなわち、オムツ製品の胴周り方向に全体的に伸縮応力が与えられると共に、ウエスト開口部４５の周囲近傍の領域、及びレッグ開口部４６における相互間の一部の領域においては緩やかな変化でもってさらに大きな伸縮応力が与えられる。これにより、装着者の体形に合った応力設計が可能となる。例えば、着用者の体形で胴周り方向の寸法が小さい傾向の箇所に、本発明の伸縮性複合シート２０を適用して伸縮応力を高める。これにより、着用者が装着した際、実質的に局所的な締め付けが無く、肌に跡を残し難い。よって、加工工程を低減し、かつ、より簡単な構成で着用者への局所的な応力を避け、身体形状にフィットさせ易い使い捨て着用物品を提供することができる。
【００２９】
また、ウエスト開口部４５の周囲近傍の領域の坪量が高く、剛性が高まるため、ウエスト外縁部分のめくれ返りが起き難い。このため、ウエスト開口部４５の折り返し等の対策が不要になる。これは工数削減に伴う製作スピードの向上に寄与する。
【００３０】
なお、上記構成において、伸縮性複合シート２０は、伸縮性シート２１として予め坪量が異なった領域を有する伸縮性シートを用いていることも考えられる。例えば、伸縮性シート２１において、坪量変化領域２１１，２１２に位置するように予め坪量を上げておくなど、坪量のグラデーションを設けることで、より緩やかに、かつ大きく伸縮性複合シート２０の所定部の伸縮応力を上げることもできる。予め坪量について応力設計に有利なように変化させた領域を備えていれば、伸縮性複合シートの応力設計のためにさらなる坪量領域の制御を可能とする。
【００３１】
また、図４では、本発明の特徴を呈した伸縮性複合シート２０を、前胴回り領域４１と後胴回り領域４２とに配する構成を示したが、前胴回り領域４１と後胴回り領域４２のうちいずれか一つの領域に本発明の特徴を呈した伸縮性複合シート２０を配するようにしてもよい。その場合は、実現した構成に応じて坪量変化領域２１１，２１２が存在しない前胴回り領域４１または後胴回り領域４２が提供される。
【００３２】
図５は、本発明の第３実施形態による使い捨て着用物品の要部の平面図である。使い捨て着用物品として、パンツ型オムツを例示している。この図５においても、図２と同様に、オムツを構成する伸縮性複合シートを延伸状態にしたシャーシ部分を表している。図２と同様の箇所には同一の符号を付して説明は省略する。また、図６は、図５の伸縮性複合シートの所定方向の変位に対する伸縮応力の変化を示す特性図である。
【００３３】
図５において、図２と異なる箇所は、伸縮性シート２１の代わりに伸縮性シート３１を用いた構成である。伸縮性シート３１の配置は、伸縮性シート２１を９０度反転させた配置関係となる。パンツ型オムツ２のシャーシ部分は、前胴回り領域４１とそれに伴う股下領域４３の一部を示している。また、前胴回り領域４１に代えて、後胴回り領域４２とそれに伴う股下領域４３の一部を示すものとしてもよい。パンツ形状にした場合の肌当接面側に、伸縮性を有する伸縮性シート３１を有する。この伸縮性シート３１は、図１に示した伸縮性シート２１と同様に、延伸方向ＳＤに延伸された状態で非伸縮性シート２２と貼り合わされる。非伸縮性シート２２は、伸縮性シート３１に比べて伸縮性に乏しく、伸縮性シート３１の延伸域を制限すると共に、延伸方向から復元しようとする変化を妨げない。これにより、伸縮性複合シート４０として構成される。
【００３４】
このような構成において、伸縮性複合シート４０は、伸縮性シート３１の延伸状態に応じて坪量が偏向された坪量変化領域３１１，３１２を有する。ここでの坪量変化領域３１１，３１２は、伸縮性複合シート４０における縁部寄りに設けられている。すなわち、坪量変化領域３１１，３１２は、伸縮性複合シート４０における中央領域３１０に比べて坪量が大きくなっている。しかも、坪量変化領域３１１，３１２は、図６に示すように、伸縮応力の変化が急峻でなく、徐々に変化する領域となる。一方、ゴムやウエストバンドなどの弾性部材を必要箇所に設けるとすれば、ゴムやウエストバンドを設けた部分での伸縮応力の変化は急峻であり、局所的な締め付けを招いてしまう。
【００３５】
なお、図５では、パンツ形状にした場合の肌当接面側に、本発明の特徴を呈した伸縮性を有する伸縮性シート３１を有し、非伸縮性シート２２と貼り合わされることを述べたが、これに限らない。伸縮性複合シート４０は、結果的に、パンツ形状にした場合の肌当接面側に、非伸縮性シート２２を存在させる構成としてもかまわない。あるいは、図示しないが、本発明の特徴を呈した伸縮性シート３１の両面に非伸縮性シート２２を貼り合わせる構成も考えられる。
【００３６】
図７は、図５のパンツ型オムツの構成を示す概観図である。パンツ型オムツ２において、伸縮性複合シート４０は、前胴回り領域４１と、後胴回り領域４２とに配されている。この前胴回り領域４１と後胴回り領域４２の前後の側部どうしが一方接合部５１、他方接合部５２の一対の接合部で接合されることにより、ウエスト開口部４５及び一対のレッグ開口部４６が形成されている。伸縮性複合シート２０の延伸方向は、一方接合部５１、他方接合部５２の一対の接合部に沿う方向となるように配置される。坪量変化領域３１１，３１２は、前胴回り領域４１と後胴回り領域４２の前後の側部どうしが接合される近傍の領域を含んでいる。
【００３７】
上記構成によれば、伸縮性シート３１を延伸加工し、ネックイン状態を制御して非伸縮性シート２２と貼り合せる。これにより、伸縮性複合シート４０において、伸縮性シート３１の延伸方向に直交する幅方向縁部の坪量が徐々に上がる傾向を呈し、結果、伸縮応力が中央領域に比べて高くなる。すなわち、オムツ製品の胴周り方向に全体的に伸縮応力が与えられると共に、一方接合部５１及び他方接合部５２それぞれの近傍の領域においては緩やかな変化でもってさらに大きな伸縮応力が与えられる。これにより、装着者の体形に合った応力設計が可能となる。例えば、着用者の体形で胴周り方向の寸法が大きい傾向の箇所に、本発明の伸縮性複合シート４０を適用して伸縮応力を高める。これにより、着用者が装着した際、実質的に局所的な締め付けが無く、肌に跡を残し難い。よって、加工工程を低減し、かつ、より簡単な構成で着用者への局所的な応力を避け、身体形状にフィットさせ易い使い捨て着用物品を提供することができる。
【００３８】
上記構成のパンツ型オムツ２においては、一方接合部５１及び他方接合部５２のオムツ側部が液吸収保持部材２４のある中央部より大きな応力を有することから、次のような作用効果が得られる。
【００３９】
第１に、伸縮性シート３１が有する水平方向（胴回り方向）の応力に関する作用効果を説明する。図６に示す応力特性により、オムツ側部付近から液吸収保持部材２４のあるオムツ中央部の任意の箇所を引っ張る関係となるため、液吸収保持部材２４をオムツの側部方向に引き出す作用が発生する。この作用により、着用者がオムツを装着する際には液吸収保持部材２４の肌当接面積を縮めることなく、吸収体２６の実質有効面積が大きく取れる。これにより、尿をキャッチする面積が大きくなり、吸収性能の向上に寄与する。また、オムツ装着中の動きに関し、吸収体２６の中折れや位置ずれが抑えられる。さらに、液吸収保持部材２４が縮まりにくいので、皺の発生が抑えられ、外観形状に優れるという利点もある。
【００４０】
第２に、伸縮性シート３１が有する垂直方向（オムツを平面に展開した時の厚み方向）の応力に関する作用効果を説明する。オムツ側部付近から液吸収保持部材２４のあるオムツ中央部の任意の箇所を引っ張る関係となる。これにより、オムツ側部付近の応力によって着用者の身体にフィットさせることができる。その一方で、オムツ側部付近に比べて液吸収保持部材２４のあるオムツ中央部の応力が低いために、吸収体２６を着用者の身体に押し当てる作用は弱く、大便や軟便を確保する空間を形成することができる。また、尿を吸収した後の吸収体２６が着用者の身体に当たり難いこともあって、衛生的である。
【００４１】
なお、上記構成においても、伸縮性複合シート４０は、伸縮性シート３１として予め坪量が異なった領域を有する伸縮性シートを用いていることも考えられる。例えば、伸縮性シート３１において、坪量変化領域３１１，３１２に位置するように予め坪量を上げておくなど、坪量のグラデーションを設けることで、より緩やかに、かつ大きく伸縮性複合シート２０の所定部の伸縮応力を上げることもできる。予め坪量について応力設計に有利なように変化させた領域を備えていれば、伸縮性複合シートの応力設計のためにさらなる坪量領域の制御を可能とする。
【００４２】
また、図８では、本発明の特徴を呈した伸縮性複合シート４０を、前胴回り領域４１と後胴回り領域４２とに配する構成を示したが、前胴回り領域４１と後胴回り領域４２のうちいずれか一つの領域に本発明の特徴を呈した伸縮性複合シート４０を配するようにしてもよい。その場合は、実現した構成に応じて坪量変化領域３１１，３１２が存在しない前胴回り領域４１または後胴回り領域４２が提供される。
【図面の簡単な説明】
【００４３】
【図１】第１実施形態による伸縮性複合シートの構成図である。
【図２】第２実施形態による使い捨て着用物品の要部の平面図である。
【図３】図２の伸縮性複合シートの所定方向の変位に対する伸縮応力の変化を示す特性図である。
【図４】図２のパンツ型オムツの構成を示す概観図である。
【図５】第３実施形態による使い捨て着用物品の要部の平面図である。
【図６】図５の伸縮性複合シートの所定方向の変位に対する伸縮応力の変化を示す特性図である。
【図７】図５のパンツ型オムツの構成を示す概観図である。
【符号の説明】
【００４４】
１，２    パンツ型オムツ
２０，４０    伸縮性複合シート
２１，３１    伸縮性シート
２２，２８    非伸縮性シート
２１０，３１０    中央領域
２１１，２１２，３１１，３１２    坪量変化領域
２４    液吸収保持部材
２５    液透過性シート
２６    吸収体
２７    液不透過性シート
４１    前胴回り領域
４２    後胴回り領域
４３    股下領域
４５    ウエスト開口部
４６    レッグ開口部
１０１、１０２    ニップロール機構
【図１】
2008253679.tif 000003
【図２】
2008253679.tif 000004
【図３】
2008253679.tif 000005
【図４】
2008253679.tif 000006
【図５】
2008253679.tif 000007
【図６】
2008253679.tif 000008
【図７】
2008253679.tif 000009